(57)【要約】      （修正有）【課題】２つの機器間を音声信号のみで接続する構成において、外部マイクロホンの種別を撮像装置にて判断できる撮像システムを提供する。【解決手段】音声装置１５０は、音声入力手段１５４と音声を処理する音声信号処理手段１５１と、音声の種別を判断する音声判別手段１５２と、音声を外部へ出力する音声出力手段１５５と、を備える。撮像装置１００は、音声入力手段１０４と音声を処理する音声信号処理手段１０１と、音声の種別を判断する第音声判別手段１０２と、音声を外部へ出力する音声出力手段１０５と、を備える。音声出力手段１５５から音声入力手段１０４に音声を出力する構成において、撮像装置１００は、音声入力手段１０４で受信する音声の種別を、音声判別手段１０２よる判別結果に応じて音声信号処理手段１０１の信号処理を変更して、音声出力手段１０５から出力する。【選択図】図１
2019134208.tif 000002
【特許請求の範囲】
【請求項１】
第１の音声入力手段と、
前記第１の音声を処理する第１の音声信号処理手段と、
前記第１の音声の種別を判断する第１の音声判別手段と、
前記第１の音声を外部へ出力する第１の音声出力手段と、
を備えた音声装置と、
第２の音声入力手段と、
前記第２の音声を処理する第２の音声信号処理手段と、
前記第２の音声の種別を判断する第２の音声判別手段と、
前記第１、第２の音声とは異なる第３の音声を外部へ出力する第２の音声出力手段と、
を備えた撮像装置であって、前記第１の音声出力手段から前記第２の音声入力手段に音声を出力する構成において、
前記撮像装置が前記第３の音声を出力し、
前記第２の音声入力手段で受信する音声の種別を前記第２の音声判別手段より判別し、
その判別結果に応じて前記第２の音声信号処理手段の信号処理を変更すること
を特徴とする撮像システム。
【請求項２】
前記第１の音声入力手段で受信する音声の種別を前記第１の音声判別手段より判別し、前記第３の音声を受信したと判断した場合に、
前記音声装置は前記第１、第２、第３の音声とは異なる第４の音声を前記第１の音声出力手段より出力し、
前記撮像装置は、前記第４の音声を受信したと判断した場合に、前記第２の音声入力手段に前記音声装置が接続されたと判断すること
を特徴とする請求項１に記載の撮像システム。
【請求項３】
前記第１の音声判別手段より、前記第１の音声入力手段で前記第３の音声を受信したと判断した場合に、
前記第３の音声に応じて前記第１の音声信号処理手段の信号処理を変更すること
を特徴とする請求項１または２に記載の撮像システム。
【請求項４】
請求項１の音声装置は、さらに、
前記音声装置の機能を変更するモード設定手段を有し、
前記第１の音声判別手段より、前記第１の音声入力手段で前記第３の音声を受信したと判断した場合に、
前記第３の音声に応じて前記音声装置のモード設定を変更すること
を特徴とする撮像システム。
【請求項５】
前記撮像装置は
前記第２の音声出力手段にて前記第３の音声を出力してから、
前記第２の音声入力手段で、前記第３の音声もしくは前記第４の音声のどちらかの音声を受信するまでの期間を計測する遅延期間計測手段を更に有し、
前記遅延期間に応じて
前記第２の音声信号処理手段の信号処理を変更すること
を特徴とする請求項１に記載の撮像システム。
【請求項６】
前記第２の音声出力手段にて前記第３の音声を出力してから、
前記第２の音声入力手段で、前記第３の音声もしくは前記第４の音声のどちらも受信できなかった場合に、
前記撮像装置は、前記音声装置が正常に動作していないと判断すること
を特徴とする請求項１乃至５のいずれか１項に記載の撮像システム。
【発明の詳細な説明】
【技術分野】
【０００１】
本発明は、撮像システムに関し、特に外部マイクロホンから音声を取得する撮像システムに関するものである。
【背景技術】
【０００２】
従来より、主に家庭用ビデオカメラやデジタルカメラなどで、本体内蔵マイクロホンと外部マイクロホン端子の両方を備えている撮像装置が一般に広く存在する。これらの撮像装置は、外部マイクロホンが接続されている時は外部マイクロホンからの音声が入力され、接続されていないときは本体内蔵マイクロホンからの音声が入力されるような仕様になっているものが大多数である。外部マイクロホンを接続することで、高音質な音声の動画撮影を実現している。このような仕様を実現するには、撮像装置の外部マイクロホン端子に外部マイクロホンが接続されているか否かを撮像装置側で判別する必要がある。
【０００３】
例えば、特許文献１では、外部マイクロホンの音声出力を、予め定められた電位に切り替えてプラグから出力することにより、撮像装置を特定の切り替え状態にするように制御する件が開示されている。特許文献２では、機器Ａがコマンドを出力し、コマンドを受信した機器Ｂが、音声信号に重畳した確認信号を出力し、その確認信号を機器Ａが受信したとき、機器Ｂを機器Ａの制御対象にする件が開示されている。
【先行技術文献】
【特許文献】
【０００４】
【特許文献１】特開２００８−１８２４５５号公報
【特許文献２】特開２０１３−０９３７４２号公報
【発明の概要】
【発明が解決しようとする課題】
【０００５】
しかしながら、上述の特許文献１に開示された従来技術では、外部マイクロホンの電池入れ忘れ、電池切れ、電源スイッチ入れ忘れなどの電源状態を判別することは可能だが、外部マイクロホンの種別を判断することができなかった。例えば風除去などの音声信号処理を実施する外部マイクロホンなのか否かを撮像装置側が判断できないため、撮像装置にて２重の音声信号処理を実施してしまう恐れがある。
【０００６】
また特許文献２に開示された従来技術では、機器Ａ側にコマンド出力の機構と、機器Ｂ側にコマンドを受信する機構が必要であり、外部マイクロホン端子以外にも機器間で通信するための機構が必要である。
【０００７】
そこで、本発明の目的は、２つの機器間を音声信号のみで接続する構成において外部マイクロホンの種別を撮像装置にて判断でき、外部マイクロホンの種別に適した音声信号処理を行うことを可能にした撮像システムを提供することである。
【課題を解決するための手段】
【０００８】
上記目的を達成するために、本発明は、
第１の音声入力手段と、
前記第１の音声を処理する第１の音声信号処理手段と、
前記第１の音声の種別を判断する第１の音声判別手段と、
前記第１の音声を外部へ出力する第１の音声出力手段と、
を備えた音声装置と、
第２の音声入力手段と、
前記第２の音声を処理する第２の音声信号処理手段と、
前記第２の音声の種別を判断する第２の音声判別手段と、
前記第１、第２の音声とは異なる第３の音声を外部へ出力する第２の音声出力手段と、
を備えた撮像装置であって、
前記第１の音声出力手段から前記第２の音声入力手段に音声を出力する構成において、
前記撮像装置が前記第３の音声を出力し、
前記第２の音声入力手段で受信する音声の種別を前記第２の音声判別手段より判別し、
その判別結果に応じて前記第２の音声信号処理手段の信号処理を変更すること
を特徴とする。
【発明の効果】
【０００９】
本発明によれば２つの機器間を音声信号のみで接続する構成において、撮像装置にて外部マイクロホンの種別を判断でき、外部マイクロホンの種別に適した音声信号処理を行うことを可能にした撮像システムを提供することができる。
【図面の簡単な説明】
【００１０】
【図１】本発明の第１の実施例に係る撮像システムのブロック図である。
【図２】本発明の第１の実施例に係る撮像システムのフローチャートである。
【図３】本発明の第１の実施例に係る撮像装置の音声信号処理に関するフローチャートである。
【図４】本発明の第２の実施例に係る撮像システムのブロック図である。
【図５】本発明の第２の実施例に係る撮像システムのテーブル情報である。
【図６】本発明の第３の実施例に係る撮像システムのブロック図である。
【図７】本発明の第３の実施例に係る撮像システムのタイミングチャートである。
【図８】本発明の第１の実施例に係る撮像システムのテーブル情報である。
【発明を実施するための形態】
【００１１】
以下に、本発明の好ましい実施の形態を、添付の図面に基づいて詳細に説明する。
【００１２】
［実施例１］
以下、図１〜図３を参照して、本発明の第1の実施例による、撮像装置１００が音声装置１５０の種別を判断する方法について説明する。
【００１３】
図１は本発明の第１の実施例に係る撮像システムのブロック図である。撮像装置１００と音声装置１５０は、通信路１７０を介して音声装置１５０から撮像装置１００に対して音声信号の伝送をおこなう。通信路１７０は例えば一般に広く普及しているＪＥＩＴＡ  ＲＣ６７０１Ａ規格に準拠したものである。
【００１４】
撮像装置１００のより具体的な構成を説明する。音声入力手段１０４は、外部マイクロホンからの音声信号を受信する音声受信装置である。先述したＪＥＩＴＡ  ＲＣ６７０１Ａ規格に準拠したφ３．５ｍｍピンプラグをもつマイクロホンからの信号を接続可能な外部マイクロホン端子を備えている。また特にそれに限定するものでなく、例えば音声信号は無線通信にて音声装置１５０から撮像装置１００に対して伝送してもよい。
【００１５】
音声信号処理手段１０１は、例えばＣＰＵであり、不図示の撮像指示スイッチおよび各種設定スイッチ等のカメラ操作部材からの入力に応じて撮像装置１００の制御を行う。また、音声入力手段１０４で受信した音声信号に対して、風雑音除去、フィルタ処理、アッテネータ処理などの各種音声信号処理を行う。また、音声入力手段１０４の外部マイクロホン端子に音声装置１５０が接続されているか否かを判断し、接続されていないと判断した場合には不図示の内蔵マイクロホンから音声が入力されるように制御を切り替える。
【００１６】
音声判別手段１０２は、音声信号処理手段１０１によって信号処理した音声信号が情報テーブル１０３に登録されている特定の音声信号と同様か否かを判別する。音声判別は例えばＦＦＴ（高速フーリエ変換）を行い、その周波数スペクトラムが一致するかで判断してもよいし、波形の類似性を比較することでも判別可能である。また情報テーブル１０３は、例えばＲＡＭであり、特定の音声信号とコマンドが紐づけられた情報が格納されている。情報テーブルの詳細に関しては図８にて後述する。
【００１７】
音声出力手段１０５は例えばスピーカーであり、音声信号処理手段１０１からの命令に従い特定の音声を外部に発生する。また音声出力手段１０５は、不図示の撮像指示スイッチおよび各種設定スイッチ等のカメラ操作部材からの入力に応じて特定のビープ音を発生させる。
【００１８】
撮像光学系１０６は、不図示のフィールドレンズと、変倍を行うズームレンズと、光量を調節する絞りユニットと、焦点調節を行うフォーカスレンズと、ＣＣＤセンサやＣＭＯＳセンサ等の撮像素子と、アナログ信号からデジタル信号に変換するＡ／Ｄ変換回路を含む。
【００１９】
動画像作成手段１０７は、撮像光学系１０６によって生成された撮像信号に対して各種画像処理を行って映像信号を生成する。また、映像信号と、音声信号処理手段１０１から受信する音声信号から、動画像を作成する。記憶メディア１０８は例えば不揮発性メモリあるいはメモリカード等の記録媒体であり、動画像作成手段１０７によって作成された動画像を保存することが可能である。
【００２０】
次に音声装置１５０のより具体的な構成を説明する。音声装置１５０は外部マイクロホンの１つである。音声出力手段１５５は先述したＪＥＩＴＡ  ＲＣ６７０１Ａ規格に準拠したφ３．５ｍｍピンプラグを備えている。ピンプラグはヘッドフォン出力端子であっても良い。通信路１７０を介して、撮像装置１００の音声入力手段１０４と接続される。音声入力手段１５４は例えばマイクであり、外部の音声を取得する。
【００２１】
音声信号処理手段１５１は、例えばＣＰＵであり、音声入力手段１５４で受信した音声信号に対して、風雑音除去、フィルタ処理、アッテネータ処理などの各種音声信号処理を行う。この信号処理した音声信号が音声出力手段１５５を介して撮像装置１００に伝送される。
【００２２】
音声判別手段１５２は、音声信号処理手段１５１によって信号処理した音声信号が情報テーブル１５３に登録されている特定の音声信号と同様か否かを判別する。音声判別は例えばＦＦＴ（高速フーリエ変換）を行い、その周波数スペクトラムが一致するかで判断してもよいし、波形の類似性を比較することでも判別可能である。また情報テーブル１５３は、例えばＲＡＭであり、特定の音声信号とコマンドが紐づけられた情報が格納されている。この情報テーブルは情報テーブル１０３と同様の情報が格納されている。情報テーブルの詳細に関しては図８にて後述する。
【００２３】
図８に本実施例における情報テーブル１０３、情報テーブル１５３に格納するテーブル情報の一例を示す。８０１は撮像装置１００の音声入力手段１０４になんらかの外部マイクロホンが接続されたと音声信号処理手段１０１が判断した場合に、撮像装置１００が出力する特定の音データ(以降音Ａ)の情報が格納されている。音声信号処理手段１０１は、外部マイクロホンが音声入力手段１０４に接続されたか否かを、音声入力手段１０４の端子状態の変化を参照することで判断する。音声信号処理手段１０１は、音声入力手段１０４に外部マイクロホンが接続されたと判断した場合に、情報テーブル１３０を参照して、音Ａを音声出力手段１０５より出力する。
【００２４】
また８０２は音声装置１５０の音声信号処理手段１５１が、音声入力手段１５４より音Ａを受信したと判断した場合に、音声出力手段１５５より出力する特定の音データ(以降音Ｂ)の情報が格納されている。
【００２５】
図８に示す情報テーブルは、撮像装置１００と音声装置１５０にて事前に共有されているものとする。これは例えば情報テーブル１０３、情報テーブル１５３に事前に登録しておけばよいし、またファームアップデートを実施して情報テーブルのデータを更新しても良い。
【００２６】
図２に本実施例における具体的な制御フローを示す。本フロー図において、撮像装置１００の制御フローはライン２５０で、音声装置１５０の制御フローはライン２５１にて示している。また装置間でやり取りされる信号は２２２〜２２３で示している。さらに撮像装置１００と音声装置１５０を接続する制御フローは２６１で示している。フロー２０１にて撮像装置１００の不図示の電源スイッチをユーザがＯＮすることで、撮像装置１００の電源をＯＮする。フロー２０１終了後、撮像装置１００はフロー２０２へと進む。
【００２７】
フロー２１０にて音声装置１５０の不図示の電源スイッチをユーザがＯＮすることで、音声装置１５０の電源をＯＮする。音声装置１５０は電源がＯＮされてから外部の音声信号の受信を開始するものとする。電源のスイッチと、外部音声の取得開始のスイッチは別に設けられていても良い。その場合本フローにて、電源スイッチ、外部音声の取得開始のスイッチがユーザによってＯＮされたものとする。フロー２１０終了後、音声装置１５０はフロー２１３へと進む。また音声装置１５０は種類によっては音声装置１５０にバッテリーをもたず、撮像装置１００より電源を供給して動作するものも存在する。この場合、フロー２１０は省略される。またフロー２０１とフロー２１０はどちらが先でも構わない。フロー２０１とフロー２１０を実施した後、フロー２６１へと進む。
【００２８】
フロー２６１では、ユーザが、音声装置２１０の音声出力手段１５５と、撮像装置１００の音声入力手段１０４を、通信路１７０を用いて接続する。本実施例においてはこの通信路１７０は有線ケーブルである場合について説明するが、これに限るものではなく、音声信号を音声装置１５０から撮像装置１００に伝送することができる種々の方法で本発明は適用可能である。
【００２９】
フロー２０２において、撮像装置１００の音声信号処理手段１０１は、音声入力手段１０４の端子状態の変化を参照し、音声入力手段１０４になんらかの外部マイクロホンが接続されたか否かを判断する。本フロー時点では、端子情報によって接続有無を判断しており、撮像装置１００の音声信号処理手段１０１は、外部マイクロホンが接続されたことは判断できるが、その外部マイクロホンが音声装置１５０であるのか、それとは異なる外部マイクロホンであるのかは判断できない。外部マイクロホンが接続されたと判断した場合、撮像装置１００はフロー２０３へと進む。
【００３０】
フロー２１３において、音声装置１５０の音声信号処理手段１５１は、音声出力手段１５５の端子状態の変化を参照し、音声出力手段１５５が外部機器と接続したか否かを判断する。外部機器に接続したと判断した場合、音声装置１５０は音声出力手段１５５より音声信号の出力を開始し、フロー２１１へと進む。ここでいう音声信号とは、音声入力手段１５４より受信した外部の音声を音声信号処理手段１５１によって信号処理した信号である。
【００３１】
フロー２０３において、音声信号処理手段１０１は、情報テーブル１０３を参照して、特定の音Ａを音声出力手段１０５を介して出力する。ここで出力される音Ａは例えばビープ音でも良いし、メロディであってもよい。フロー２０３終了後、撮像装置１００はフロー２０４へと進む。
【００３２】
フロー２１１において、音声装置１５０は音声入力手段１５４によって受信した音声信号が音Ａであるかそうでないかを、音声信号処理手段１５１によって判断する。音Ａであるか否かは、音声信号処理手段１５１にて音声信号処理された音声信号を情報テーブル１５３の情報と一致しているか音声判別手段１５２によって比較することで判断可能である。音声判別手段１５２での音声判別は例えばＦＦＴ（高速フーリエ変換）を行い、その周波数スペクトラムが一致するかで判断してもよいし、波形の類似性を比較しても良い。また判別前に特定のバンドパスフィルタをかけることで特定の周波数範囲に限定して判別を行うことも可能である。
【００３３】
ここで２２２の音Ａは、通信路１７０を介して音声装置１５０に伝送されるわけではない。フロー２１０にて取得を開始した外部音声に音Ａが含まれていないかを、音声装置１５０は音声判別手段１５２を用いて常時判別している。音声信号処理手段１５１が音Ａを受信したと判別した場合、フロー２１２へと進む。
【００３４】
フロー２１２において、音声装置１５０の音声信号処理手段１５１は、情報テーブル１５３を参照して、特定の音Ｂを音声出力手段１５５を介して出力する。ここで出力される音Ｂは通信路１７０を介して音声音号として伝送される。フロー２１２終了後は音声装置１００は引き続き、外部音声の受信と撮像装置１００への音声信号の出力を行う。
【００３５】
フロー２０４において、撮像装置１００の音声信号処理手段１０１は音声判別手段１０２によって、音声入力手段１０４より受信した音声信号が音Ａもしくは音Ｂかを判別する。音Ａもしくは音Ｂであるかは、音声信号処理手段１０１にて音声信号処理された音声信号を、情報テーブル１０３の情報と一致しているか比較することで判断可能である。音声判別手段１０２の音声判別手段は、先述した音声判別手段１５２と同様である。音Ａもしくは音Ｂを受信したと音声信号処理手段１０１が判断した場合、フロー３００へと進む。フロー３００では受信した音に応じて撮像装置１００の音声信号処理を変更する。撮像装置１００の音声信号処理のフローに関しては図３を用いて後述する。
【００３６】
図３にて図２のフロー３００の詳細について説明する。図３は撮像装置１００の音声信号処理に関するフローチャートである。図３にて行われる処理はすべて撮像装置１００での処理である。フロー３０１において、音声信号処理手段１０１が音声入力手段１０４より受信した音声信号は音Ａだと判断した場合は、フロー３０３へと進む。また音Ａでないと判断した場合、フロー３０２へと進む。
【００３７】
フロー３０２にて、音声信号処理手段１０１が音声入力手段１０４より受信した音声信号は音Ｂだと判断した場合は、フロー３０４へと進む。また図２のフロー２０３において音声出力手段１０５より音Ａを出力してから特定の期間、音Ａも音Ｂも受信できなかったと判断した場合は、フロー３０５へと進む。
【００３８】
フロー３０３において、音声信号処理手段１０１は接続されたなんらかの外部マイクロホンが音声装置１５０ではないと判断する。ここでいう音声装置１５０ではない外部マイクロホンとは、例えば信号処理手段をもたない外部マイクロフォンや、情報テーブルを共有していない外部マイクロホンなどである。そして音声信号処理手段１０１の音声信号処理を、汎用の外部マイクロフォンが接続された際に適した信号処理設定に設定してフロー３０６へと進む。
【００３９】
フロー３０４において、音声信号処理手段１０１は接続されたなんらかの外部マイクロホンが音声装置１５０であると判断する。音声装置１５０は、図1に示すような構成をもち、情報テーブルを撮像装置１００と共有している外部マイクロホンである。そして音声信号処理手段１０１の音声信号処理を、音声信号処理手段１５１で実施した信号処理結果に対して適した信号処理設定に設定してフロー３０６へと進む。
【００４０】
フロー３０５において、音声信号処理手段１０１は接続されたなんらかの外部マイクロホンが正常な状態でないと判断する。これは例えば、外部マイクロホンの電源が入っていないとか、通信路１７０の接続が正常でない等である。音声信号を正常に受信できないとして、撮像装置１００は警告を不図示の液晶等に表示して処理を終了する。フロー３０６では、撮像装置１００は撮像準備が完了したと不図示の液晶等に表示して処理を終了する。
【００４１】
本発明によれば、２つの機器間を音声信号のみで接続する構成において、撮像装置１００にて外部マイクロホンの種別を判断でき、それに適した音声信号処理をすることが可能である。
【００４２】
［実施例２］
以下、図４、図５を参照して、本発明の第２の実施例による、撮像装置１００と音声装置４１０間でコマンドを送受信する方法について説明する。
【００４３】
図４は本発明の第２の実施例に係る撮像システムのブロック図である。ここで図４の１００〜１０８、１７０、１５１〜１５５に関してはすでに先述したため説明を割愛する。音声装置４１０は外部マイクロホンの１つである。
【００４４】
図１に示す音声装置１５０に対して、４０１〜４０４の構成がさらに追加されたものを音声装置４１０と定義する。モード設定手段４０１は、音声装置４１０の動作モードを設定する。不図示の撮像指示スイッチおよび各種設定スイッチ等のカメラ操作部材からの入力に応じて音声装置４１０のモード変更を行うことが可能である。また音声信号処理手段１５１からモード設定手段４０１に対して制御信号を出力してモード変更を行うことも可能である。
【００４５】
撮像光学系４０２は、不図示のフィールドレンズと、変倍を行うズームレンズと、光量を調節する絞りユニットと、焦点調節を行うフォーカスレンズと、ＣＣＤセンサやＣＭＯＳセンサ等の撮像素子と、アナログ信号からデジタル信号に変換するＡ／Ｄ変換回路を含む。
【００４６】
動画像作成手段４０３は、撮像光学系４０２によって生成された撮像信号に対して各種画像処理を行って映像信号を生成する。また、映像信号と、音声信号処理手段１５４から受信する音声信号から、動画像を作成する。記憶メディア４０４は例えば不揮発性メモリあるいはメモリカード等の記録媒体であり、動画像作成手段によって作成された動画像を保存することが可能である。
【００４７】
図５に本実施例における、情報テーブル１０３、情報テーブル１５３に格納するテーブル情報の一例を示す。５０１は撮像装置１００の音声入力手段１０４になんらかの外部マイクロホンが接続されたと音声信号処理手段１０１が判断した場合に、撮像装置１００が出力する特定の音データの情報が格納されている。音声信号処理手段１０１は、外部マイクロホンが音声入力手段１０４に接続されたかを、音声入力手段１０４の端子状態の変化を参照することで判断する。
【００４８】
５０２は音声装置４１０の音声信号処理手段１５１が、音声入力手段１５４より５０１の音を受信したと判断した場合に、音声出力手段１５５より出力する特定の音データの情報が格納されている。５０３は各種コマンドが格納されている。
【００４９】
図５に示す情報テーブルは撮像装置１００と音声装置４１０にて事前に共有されているものとする。５１０〜５１３は具体的なコマンドの一例である。５１０、５１１は、撮像装置１００にて外部マイクロホンの種別を判断する場合のコマンドを示している。音Ａは実施例１と同様、撮像装置１００より外部マイクロホンの種別を確認するための要求信号である。このとき、音Ａを受信した音声装置１５０や音声装置４１０は自身の種別情報を音声出力手段１５５より出力する。
【００５０】
５１１は、音声装置１５０の場合で、このときは実施例１と同様、対応した音Ｂを種別情報として音声出力手段１５５より出力する。５１２は、音声装置４１０の場合で、このときは対応した音Ｃを種別情報として音声出力手段１５５より出力する。
【００５１】
音声装置は音声装置１５０や音声装置４１０のように内部の構成によって複数の種別を定義することが可能である。また、音声装置の音声信号処理手段１５１の音声信号処理の内容に応じて、種別を定義しても良い。定義はテーブル情報を変更することで任意に変更可能である。
【００５２】
撮像装置１００は音Ｂか音Ｃかを受信したと音声信号処理手段１０１で判断することで、撮像装置１００に接続された外部マイクロホンが音声装置１５０であるのか音声装置４１０であるのかを判断することが可能である。このように複数の音声装置の種別を情報テーブルにて事前定義しておくことで、撮像装置１００はどの音声装置が接続されたかを判断でき、撮像装置１００はそれぞれの音声装置に適した音声信号処理を行うことが可能である。
【００５３】
次に５１２〜５１３は撮像装置１００から音声装置４１０に対してコマンド命令を行う場合の情報テーブルを示している。５１２は音声装置４１０のモードを省電力モードに撮像装置１００から命令する場合の例である。事前に接続された外部マイクロホンが音声装置４１０であることが確認されたものとする。音Ｄは撮像装置１００より音声装置４１０への省電力モード移行命令の信号である。このとき音Ｄを受信した音声装置４１０は、音声信号処理手段１５１によってモード設定手段４０１を制御して、音声装置４１０のモードを省電力モードに変更する。
【００５４】
ここでの省電力モードとは、例えば音声装置４１０に撮像する機構がある場合に、撮像光学系４０２、動画像作成手段４０３、記憶メディア４０４の機能を停止させ、音声に関連した機能のみを有効にすることを示す。このようなモード変更をすることで音声装置４１０の消費電力を抑制し、より長時間の外部音声取得を行うことができる。モード遷移完了後、音声装置４１０より音Ｅを完了信号として撮像装置１００に出力する。撮像装置１００の音声信号処理手段１０１は、音声入力手段１０４を介して音Ｅを受け取った際、音声装置４１０のモードが変更されたと判断する。
【００５５】
５１３は音声装置４１０の音声信号処理内容の変更を撮像装置１００から命令する場合の例である。音Ｇは撮像装置１００より音声装置４１０への音声信号処理内容の変更命令の信号である。音Ｇを受信した音声装置４１０は、音声信号処理手段１５１の音声信号処理の内容を変更する。例えば本テーブル情報では、音Ｇによって、音声装置４１０の音声信号処理で風除去処理をＯＮするように変更する。
【００５６】
音声信号処理の処理手段変更後、音声装置４１０より音Ｅを完了信号として撮像装置１００に出力する。撮像装置１００の音声信号処理手段１０１は、音声入力手段１０４を介して音Ｅを受け取った際、音声装置４１０のモードが変更されたと判断する。
【００５７】
本発明によれば、２つの機器間を音声信号のみで接続する構成においても撮像装置１００より音声装置４１０に対して、各種制御を行うことが可能である。そのため、ユーザが音声装置４１０の設定を手動で変更しなくても、撮像装置１００より適した設定を音声装置４１０に対して行うことが可能であり、ユーザの設定負荷を低減できる。
【００５８】
［実施例３］
以下、図６、図７を参照して、本発明の第３の実施例による、撮像装置１００にて音声装置１５０からの音声信号を受信して動画像を作成する際の音声処理方法について説明する。
【００５９】
図６は本発明の第３の実施例に係る撮像システムのブロック図である。ここで図６の１００〜１０８、１７０、１５０〜１５５に関してはすでに先述したため説明を割愛する。撮像装置１００の遅延時間計測手段６０１は、音声出力手段１０５から音Ａが出力されてから、音声入力手段１０４が音Ｂの受信を完了するまでの時間を測定するタイマーである。
【００６０】
音声信号処理手段１０１によって、音声出力手段１０５に音Ａを出力するタイミングで遅延時間計測手段６０１のタイマーを起動させる。そして音声入力手段１０４より音Ｂを受け取ったと音声信号処理手段１０１が判断したところで、遅延時間計測手段６０１のタイマーを停止させる。ここで音Ａと音Ｂに関しては実施例１にて先述したため説明を割愛する。
【００６１】
図７に本発明の第３の実施例に係る音Ａと音Ｂのタイミングチャートを示す。図７において横軸は時間を示している。図７の(a)は撮像装置１００の音声出力手段１０５から出力される音Ａを示している。図７の(b)は撮像装置１００の音声入力手段１０４に入力される音Ｂを示している。
【００６２】
ここでＴ１は撮像装置１００の音声出力手段１０５から音Ａが出力されてから、撮像装置１００の音声入力手段１０４が音Ｂを受信完了するまでの時間を示している。この時間Ｔ１は遅延時間計測手段６０１によって測定される。
【００６３】
Ｔ２は音Ｂの発生時間を示している。この音Ｂの発生時間はあらかじめ、情報テーブル１０３、情報テーブル１５３に格納されている情報である。Ｔ３は音声出力手段１０５から音Ａが出力されてから、音声入力手段１０４が音Ｂを受信開始するまでの時間を示している。Ｔ３＝Ｔ１−Ｔ２で算出することが可能である。Ｔ３は撮像装置１００が、音声装置１５０より受け取る音声信号が外部の音声に対してどれだけ遅延しているかを示す情報である。
【００６４】
音声信号処理手段１０１はＴ３の時間を動画像作成手段１０７へと通知する。動画像作成手段１０７では、撮像光学系１０６で取得する撮像信号と音声信号処理手段から所得する音声信号にＴ３のズレがあるとして、このＴ３の時間を補正して動画像を作成する。
【００６５】
本発明によれば、撮像装置１００が外部マイクロホンの種別を判断するコマンドを利用して、音声信号と撮影信号との時間遅延を算出することが可能である。そのため、撮像装置１００が作成する動画像において、外部の音声装置を用いても動画像の音声ズレがない撮像システムを提供することが可能である。
【００６６】
以上、本発明の好ましい実施形態について説明したが、本発明はこれらの実施形態に限定されず、その要旨の範囲内で種々の変形及び変更が可能である。
【符号の説明】
【００６７】
１００  撮像装置
１０１  音声信号処理手段
１０２  音声判別手段
１０３  情報テーブル
１０４  音声入力手段
１０５  音声出力手段
１０６  撮像光学系
１０７  動画像作成手段
１０８  記録メディア
１５０  音声装置
１５１  音声信号処理手段
１５２  音声判別手段
１５３  情報テーブル
１５４  音声入力手段
１５５  音声出力手段
１７０  通信路
【図１】
2019134208.tif 000003
【図２】
2019134208.tif 000004
【図３】
2019134208.tif 000005
【図４】
2019134208.tif 000006
【図５】
2019134208.tif 000007
【図６】
2019134208.tif 000008
【図７】
2019134208.tif 000009
【図８】
2019134208.tif 000010